【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
花蕾を有する花蕾球を含む植物を生成することができるブロッコリ植物の種子であって、ここに該花蕾球上の該花蕾が平均１５％未満の黄化を有することを特徴とし、該花蕾球が、同一の花蕾球中の別の花蕾の花芽と接触する１０未満の花芽を有する花蕾を有すること；７ないし３０センチメートルの長さの二次茎を有すること；および、該花蕾球上の別の花蕾に接触しない該花蕾球上の少なくとも５０％の花蕾を有すること、ならびにそれらの組み合わせよりなる群から選択される特性を有する、該種子。
【請求項２】
該花蕾上の花芽の１５％未満が、１４４Ｂ、１４４Ｃ、１４５Ｂ、１４５Ｃ、１４５Ｄ、１４９Ｄ−１５０Ｄ、１５４Ｂ、１５４Ｃおよび１５４Ｄよりなる群から選択されるＲＨＳカラーチャート上の黄色−緑色域の色スコアを有する請求項１記載の種子。
【請求項３】
該花蕾が、１３７Ａ、１３７Ｂ、１３８Ａ、１３８Ａ、１３８Ｂ、１３８Ｃおよび１３９Ｄよりなる群から選択されるＲＨＳカラーチャート上の緑色域の色スコアを有する茎を含む請求項１または２記載の種子。
【請求項４】
該花蕾が、黄色の外観を有する花蕾を横切る範囲のパーセントで測定して黄化が存在しない請求項１ないし３のいずれか１項に記載の種子。
【請求項５】
該花蕾球が少なくとも８の花蕾を有する請求項１ないし４のいずれか１項に記載の種子。
【請求項６】
第１の親ブロッコリ系統と第２のブロッコリ系統とを交配し、ここに該第１の親ブロッコリ系統は分離した花蕾を含み；ついで
Ｆ１種子を得る
ことを含むブロッコリ種子を生産する方法。
【請求項７】
該第１の親ブロッコリ系統が少なくとも５０％の分離した花蕾を含む請求項６記載の方法。
【請求項８】
第１の親ブロッコリ系統と第２のブロッコリ系統とを交配し、ここに該第１の親ブロッコリ系統は平均１５％未満の黄化を有する花蕾を有する花蕾球を含み；ついで
Ｆ１種子を得る
ことを含む、平均１５％未満の黄化を有する花蕾を有するブロッコリ植物を生産する方法。
【請求項９】
該第１の親ブロッコリ系統が550478、550479、550385、560465、550198および550475よりなる群から選択される請求項８記載の方法。
【請求項１０】
請求項６または７記載の種子から生育した植物が分離した花蕾を含むことを特徴とする、請求項６または７に記載の方法によって生産した種子または請求項６または７に記載の種子から生育した植物。
【請求項１１】
請求項６ないし９のいずれか１項に記載された方法によって生産した植物。
【請求項１２】
550478、550479、550385および550198よりなる群から選択されるブロッコリ系統の種子から生育した植物の消費可能な部分。
【請求項１３】
550478、550479、550385および550198よりなる群から選択されるブロッコリ系統の植物から得た細胞の組織培養物。
【請求項１４】
少なくとも６０％の該花蕾球上の該花蕾が該花蕾球上の他の花蕾に接触していない請求項１ないし５または１０のいずれか１項に記載の種子。
【請求項１５】
少なくとも７０％の該花蕾球上の該花蕾が該花蕾球上の他の花蕾に接触していない請求項１４記載の種子。
【請求項１６】
少なくとも８０％の該花蕾球上の該花蕾が該花蕾球上の他の花蕾に接触していない請求項１５記載の種子。
【請求項１７】
少なくとも９０％の該花蕾球上の該花蕾が該花蕾球上の他の花蕾に接触していない請求項１６記載の種子。
【請求項１８】
該花蕾が、収穫時の花蕾の成熟時の花蕾球からの花蕾の集団の平均黄化として測定した緑色の外観よりも黄色の外観を有する花蕾を横切る範囲のパーセントで測定して５％未満の黄化を有する請求項１ないし５、１０または１４ないし１７のいずれか１項に記載の種子。
【請求項１９】
該花蕾の５％未満が緑色の外観よりも黄色の外観を有する請求項１ないし５、１０または１４ないし１８のいずれか１項に記載の種子。
【請求項２０】
該緑色の外観よりも黄色の外観を有する花蕾が、Royal Horticultural Society（RHS）カラーチャートで144B、144C、145B、145C、145D、149D−150D、154B、154Cおよび154Dよりなる群から選択される色スコアを有する請求項１ないし５、１０または１４ないし１９のいずれか１項に記載の種子。
【請求項２１】
該花蕾が２ないし２５グラムの平均重量を有する請求項１ないし５、１０または１４ないし２０のいずれか１項に記載の種子。
【請求項２２】
該花蕾球上の他の花蕾に接触しない花蕾がRHSカラーチャートの緑色グループの色スコアを有する請求項１ないし５、１０または１４ないし２１のいずれか１項に記載の種子。
【請求項２３】
該RHSカラーチャートの緑色グループが、色スコア137A、137B、138A、138B、138C、139Cおよび139Dを含む請求項１ないし５、１０または１４ないし２２のいずれか１項に記載の種子。
【請求項２４】
該花蕾が、ブロッコリーニまたはブロッコリーラーブに典型的な緩んだビード集合生育型を有しない請求項１ないし５、１０または１４ないし２３のいずれか１項に記載の種子。
【請求項２５】
該花蕾が堅固である請求項１ないし５、１０または１４ないし２４のいずれか１項に記載の種子。
【請求項２６】
該花蕾が３ないし１０センチメートルの直径である請求項１ないし５、１０または１４ないし２５のいずれか１項に記載のブロッコリ植物の種子。
【請求項２７】
該花蕾球が少なくとも６またはそれを超える花蕾を含む請求項１ないし５、１０または１４ないし２６のいずれか１項に記載のブロッコリ植物の種子。
【請求項２８】
該二次茎が７ないし３０センチメートルの長さを有する請求項１ないし５、１０または１４ないし２７のいずれか１項に記載のブロッコリ植物の種子。
【請求項２９】
該花蕾球が花蕾間に少なくとも１またはそれを超えるミリメートルを有する請求項１ないし５、１０または１４ないし２８のいずれか１項に記載の種子。
【請求項３０】
花蕾を有する花蕾球を含む該ブロッコリ植物が６またはそれを超える花蕾を含み、ここに該花蕾球上の少なくとも５０％の花蕾が該花蕾球上の他の花蕾に接触していない請求項１ないし５、１０または１４ないし２９のいずれか１項に記載の種子。
【請求項３１】
該花蕾球が葉群の上方に突出している請求項１ないし５、１０または１４ないし３０のいずれか１項に記載の種子。
【請求項３２】
該花蕾球のクラウンが葉群の上方に少なくとも２またはそれを超えるセンチメートルで立っている請求項１ないし５、１０または１４ないし３１のいずれか１項に記載の種子。
【請求項３３】
該種子が、ＡＴＣＣ受託番号41416下で寄託された種子を有する550478；ＡＴＣＣ受託番号41415下で寄託された種子を有する550479；ＡＴＣＣ受託番号41417下で寄託された種子を有する550385；およびＡＴＣＣ受託番号41418下で寄託された種子を有する550198よりなる群から選択されるブロッコリ系統から得られる請求項１ないし５、１０または１４ないし３２のいずれか１項に記載のブロッコリ種子。
【請求項３４】
雄性親としてＡＴＣＣ受託番号41416、41415、41417または41418下で寄託された種子から得たブロッコリ植物と雌性親としての第２のブロッコリ植物との交配によって生産した雑種種子またはその雑種植物であって、該雑種植物は花蕾を有する花蕾球を含み、該花蕾球上の該花蕾は平均１５％未満の黄化を有し、かつ、該花蕾球は、同一の花蕾球の他の花蕾の花芽と接触する１０未満の花芽を含む花蕾を有すること；７ないし３０センチメートルの長さの二次茎を有すること；該花蕾球上の他の花蕾に接触しない該花蕾球上の少なくとも５０％の花蕾を有すること；ならびにそれらの組み合わせよりなる群から選択される特性を有することを特徴とする該雑種種子またはその雑種植物。
【請求項３５】
５０％を超える該種子からのブロッコリ植物から生育した花蕾球が、
同一の花蕾球の他の花蕾の花芽と接触する１０未満の花芽を含む花蕾を有すること；７ないし３０センチメートルの長さの二次茎を有すること；および、該花蕾球上の他の花蕾に接触しない該花蕾球上の少なくとも５０％の花蕾を有すること；ならびに、それらの組み合わせよりなる群から選択される特性を有することを特徴とする請求項１ないし５、１０または１４ないし３４のいずれか１項に記載のブロッコリ種子の容器。
【請求項３６】
該花蕾球上の５０％を超える該花蕾が、同一の花蕾球上の他の花蕾に接触しない請求項３５記載のブロッコリ種子の容器。
【請求項３７】
該種子が、ＡＴＣＣ受託番号41416下で寄託された種子を有する550478；ＡＴＣＣ受託番号41415下で寄託された種子を有する550479；ＡＴＣＣ受託番号41417下で寄託された種子を有する550385；およびＡＴＣＣ受託番号41418下で寄託された種子を有する550198よりなる群から選択されるブロッコリ系統から得られる請求項３５または３６記載のブロッコリ種子の容器。
【請求項３８】
該容器が少なくとも１０の種子を含む請求項３５ないし３７のいずれか１項に記載のブロッコリ種子の容器。
【請求項３９】
請求項１ないし５または１４ないし３４のいずれか１項に記載の種子から生育したブロッコリ植物。
【請求項４０】
５％未満の該花蕾が、緑色の外観よりもより黄色の外観を有する請求項３９記載のブロッコリ植物。
【請求項４１】
該緑色の外観よりもより黄色の外観を有する花蕾が、Royal Horticultural Society (RHS)カラーチャート上の144B、144C、145B、145C、145D、149D-150D、154B、154Cおよび154Dよりなる群から選択される色スコアを有する請求項３９または４０記載のブロッコリ植物。
【請求項４２】
該花蕾が２ないし２５グラムの平均重量を有する請求項３９ないし４１のいずれか１項に記載のブロッコリ植物。
【請求項４３】
該花蕾球上の他の花蕾に接触していない該花蕾が、RHSカラーチャートの緑色グループの色スコアを有する請求項３９ないし４２のいずれか１項に記載のブロッコリ植物。
【請求項４４】
該RHSカラーチャートの緑色グループが色スコア137A、137B、138A、138B、138C、139Cおよび139Dを含む請求項３９ないし４３のいずれか１項に記載のブロッコリ植物。
【請求項４５】
該花蕾が、ブロッコリーニまたはブロッコリーラーブに典型的な緩んだビード集合生育型を有しない請求項３９ないし４４のいずれか１項に記載のブロッコリ植物。
【請求項４６】
該花蕾が堅固である請求項３９ないし４５のいずれか１項に記載のブロッコリ植物。
【請求項４７】
該花蕾が３ないし１０センチメートルの直径である請求項３９ないし４６のいずれか１項に記載のブロッコリ植物。
【請求項４８】
該花蕾球が少なくとも６またはそれを超える花蕾を含む請求項３９ないし４７のいずれか１項に記載のブロッコリ植物。
【請求項４９】
該第２の茎が７ないし３０センチメートルの長さを有する請求項３９ないし４８のいずれか１項に記載のブロッコリ植物。
【請求項５０】
該花蕾球が花蕾間に少なくとも１またはそれを超えるミリメートルを有する請求項３９ないし４９のいずれか１項に記載のブロッコリ植物。
【請求項５１】
請求項３９記載のブロッコリ植物と第２のブロッコリ植物とを交配することにより得ることができるＦ１ブロッコリ植物であって、ここに該Ｆ１ブロッコリ植物が花蕾を有する花蕾球を含み、該花蕾球上の該花蕾が平均１５％未満の黄化を有する該Ｆ１ブロッコリ植物。
【請求項５２】
請求項３９記載の該ブロッコリ植物が、
ＡＴＣＣ受託番号41416下で寄託された種子を有する550478；
ＡＴＣＣ受託番号41415下で寄託された種子を有する550479；
ＡＴＣＣ受託番号41417下で寄託された種子を有する550385；および
ＡＴＣＣ受託番号41418下で寄託された種子を有する550198よりなる群から選択されるブロッコリ系統から得られる請求項５１記載のＦ１ブロッコリ植物。
【請求項５３】
該種子が、
ＡＴＣＣ受託番号41416下で寄託された種子を有する550478；
ＡＴＣＣ受託番号41415下で寄託された種子を有する550479；
ＡＴＣＣ受託番号41417下で寄託された種子を有する550385；および
ＡＴＣＣ受託番号41418下で寄託された種子を有する550198よりなる群から選択されるブロッコリ系統から得られる請求項４９記載のブロッコリ植物。
【請求項５４】
請求項３９記載のブロッコリ植物の部分。
【請求項５５】
請求項３９記載のブロッコリ植物の胚珠または花粉。
【請求項５６】
該種子が、
ＡＴＣＣ受託番号41416下で寄託された種子を有する550478；
ＡＴＣＣ受託番号41415下で寄託された種子を有する550479；
ＡＴＣＣ受託番号41417下で寄託された種子を有する550385；および
ＡＴＣＣ受託番号41418下で寄託された種子を有する550198よりなる群から選択されるブロッコリ系統から得られる請求項５４記載のブロッコリ植物の部分。
【請求項５７】
該種子が、
ＡＴＣＣ受託番号41416下で寄託された種子を有する550478；
ＡＴＣＣ受託番号41415下で寄託された種子を有する550479；
ＡＴＣＣ受託番号41417下で寄託された種子を有する550385；および
ＡＴＣＣ受託番号41418下で寄託された種子を有する550198よりなる群から選択されるブロッコリ系統から得られる請求項５５記載の胚珠または花粉。